(57)【要約】【課題】  オペレーションパネルに表示される言語切り替えが頻繁に発生したとしても、余計な操作ステップを踏むことなく所望の言語への切り替えを確実に行うことが可能な画像形成装置を提供する。【解決手段】  表示言語を複数の選択肢の中から選択して切り替えるための言語切替画面を表示する表示部と、前記表示部の表示制御を行う表示制御部とを備え、前記複数の選択肢の文言は、言語切り替え対象の各国の言語名であって、前記表示制御部は前記言語名を第１の言語と、選択肢に対応する国の第２の言語と、第３の言語として英語とで前記表示部に表示させることを特徴とする画像形成装置。【選択図】  図１
2016134114.tif 000002
【特許請求の範囲】
【請求項１】
表示言語を複数の選択肢の中から選択して切り替えるための言語切替画面を表示する表示部と、
前記表示部の表示制御を行う表示制御部とを備え、
前記複数の選択肢の文言は、言語切り替え対象の各国の言語名であって、前記表示制御部は前記言語名を第１の言語と、選択肢に対応する国の第２の言語と、第３の言語として英語とで前記表示部に表示させること
を特徴とする画像形成装置。
【請求項２】
前記表示制御部は、前記言語切替画面の各表示エリアに応じて、表示対象にアニメーション効果を与えること
を特徴とする請求項１に記載の画像形成装置。
【請求項３】
前記表示制御部は、前記言語切替画面の各表示エリアに応じて、当該表示エリアに表示させる内容を所定間隔で順次切り替えること
を特徴とする請求項１又は請求項２に記載の画像形成装置。
【請求項４】
前記アニメーション効果が与えられる表示対象は、前記言語切替画面において表示されている言語切り替え対象の各国の言語で表記された文言であること
を特徴とする請求項２に記載の画像形成装置。
【請求項５】
前記表示制御部は、前記文言の情報量に応じて与える前記アニメーション効果に速度差を設けること
を特徴とする請求項４に記載の画像形成装置。
【請求項６】
前記所定間隔で順次切り替えられる表示内容は、前記言語切替画面において表示されている言語切り替え対象の各国の言語で表記された文言であること
を特徴とする請求項３に記載の画像形成装置。
【請求項７】
前記表示制御部は、前記言語切替画面と関連付けられたアイコンを前記表示部を介して表示させること
を特徴とする請求項１乃至請求項６の何れか1項に記載の画像形成装置。
【請求項８】
前記表示制御部は、装置障害が発生した際に前記表示部を介して前記アイコンを表示させること
を特徴とする請求項７に記載の画像形成装置。
【請求項９】
前記表示制御部は、前記言語切替画面を介した言語切り替えの決定を前記言語切替画面に連続する次の装置設定画面において受け付けること
を特徴とする請求項１乃至請求項８の何れか１項に記載の画像形成装置。
【請求項１０】
表示言語を複数の選択肢の中から選択して切り替えるための言語切替画面を表示する表示部と、
前記表示部の表示制御を行う表示制御部と、
前記言語切替画面を作成する画面作成部と、
言語切り替え対象の各国の言語で表記された文言を記憶する言語情報部とを備え、
前記画面作成部は、前記言語情報部から所定の言語で表記された言語名を取得して前記言語切替画面を作成し、
前記複数の選択肢の文言は、言語切り替え対象の各国の言語名であって、前記表示制御部は前記画面作成部により取得された所定の言語を第１の言語、選択肢に対応する国の言語を第２の言語、英語を第３の言語とし、前記複数の選択肢の文言を前記表示部に表示させること
を特徴とする画像形成装置。
【請求項１１】
前記画面作成部により作成された前記言語切替画面において、アニメーション効果を指定する画面加工部を備えること
を特徴とする請求項１０に記載の画像形成装置。
【請求項１２】
前記アニメーション効果は表示対象のテロップ表示であり、前記画面加工部は、言語切り替え対象の各国の言語で表記された文言が連結して表示されるように前記アニメーション効果を指定すること
を特徴とする請求項１１に記載の画像形成装置。
【請求項１３】
前記アニメーション効果は表示エリアに表示させる内容を所定間隔で順次切り替えるトグル表示であり、前記画面加工部は、言語切り替え対象の各国の言語で表記された文言が順次切り替わるように前記アニメーション効果を指定すること
を特徴とする請求項１１に記載の画像形成装置。
【発明の詳細な説明】
【技術分野】
【０００１】
本発明は、画像形成装置に関するものである。
【背景技術】
【０００２】
従来から、画像形成装置の操作又は装置情報を確認する際に、例えば、ＬＣＤ（Liquid Crystal Display)等の表示手段を備えたオペレーションパネルが用いられている。画像形成装置を使用するユーザは、オペレーションパネルに表示させたい所望の言語を選択後、選択された言語にて確認画面を表示させることで、ミス無く所望の言語への切り替えを行っていた（例えば、特許文献１参照）。
【先行技術文献】
【特許文献】
【０００３】
【特許文献１】特開２０１２−３８１９１号公報
【発明の概要】
【発明が解決しようとする課題】
【０００４】
しかしながら、従来技術では言語選択のための確認画面が表示されることにより操作ステップが増えることから、操作に慣れたり、言語切り替えの頻度が多くなると、この操作ステップを踏むことが煩わしくなっていた。
【０００５】
本発明はこのような実情に鑑みてなされたものであり、本発明の課題は、オペレーションパネルに表示される言語切り替えが頻繁に発生したとしても、余計な操作ステップを踏むことなく所望の言語への切り替えを確実に行うことが可能な画像形成装置を提供することである。
【課題を解決するための手段】
【０００６】
上記課題を解決するために、本発明に係る画像形成装置は、表示言語を複数の選択肢の中から選択して切り替えるための言語切替画面を表示する表示部と、前記表示部の表示制御を行う表示制御部とを備え、前記複数の選択肢の文言は、言語切り替え対象の各国の言語名であって、前記表示制御部は前記言語名を第１の言語と、選択肢に対応する国の第２の言語と、第３の言語として英語とで前記表示部に表示させることを特徴としている。
【発明の効果】
【０００７】
本発明によれば、オペレーションパネルに表示される言語切り替えが頻繁に発生したとしても、余計な操作ステップを踏むことなく所望の言語への切り替えを確実に行うことが可能な画像形成装置を提供することができる。
【図面の簡単な説明】
【０００８】
【図１】本実施形態に係る複合機の機能構成を説明するブロック図である。
【図２】本実施形態に係るオペレーションパネルの構成例を説明する概観図である。
【図３】言語情報部が記憶する言語情報テーブルの構成例を説明する図である。
【図４】表示部を介して表示される言語切替画面の画面レイアウトを説明する概略図である。
【図５】言語切替画面の設計表例を説明する図である。
【図６】画面加工部による加工後の言語切替画面の設計表例を説明する図である。
【図７】本実施形態での言語切り替え動作を説明するシーケンス図である。
【図８】本実施形態での言語切り替え動作を説明するフローチャート図である。
【図９】本実施形態での言語切り替え動作を説明するフローチャート図である。
【図１０】本実施形態での言語切り替え動作を説明するフローチャート図である。
【図１１】言語切替画面の構成例を説明する概観図である。
【図１２】言語切替画面の構成例を説明する概観図である。
【図１３】本実施形態の変形例を説明する図である。
【図１４】本実施形態の変形例を説明する図である。
【図１５】本実施形態の変形例を説明する図である。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
図１は、本実施形態に係る画像形成装置としての複合機１００の機能構成を説明するブロック図である。図２は、本実施形態に係るオペレーションパネル１０１の構成例を説明する概観図である。図３は、言語情報部１０８が記憶する言語情報テーブルの構成例を説明する図である。図４は、表示部１０５を介して表示される言語切替画面の画面レイアウト４００を説明する概略図である。図５は言語切替画面の設計表例であり、図６は画面加工部１０７による加工後の言語切替画面の設計表例である。
【００１１】
複合機１００は、原稿を読み取ることにより画像データを生成するスキャン機能に加え、原稿を所定の印刷媒体に複写するコピー機能、原稿内容を所定の宛先に送信するファックス機能、外部装置から送信された画像データを所定の印刷媒体に印刷するプリント機能を有する。このような複合機１００は、各機能の実行指示を受け付けたり、画像データをファックス機能にて送信する際に送信宛先等の指定を受け付けるといった複合機１００の操作を全般的に受け付けるオペレーションパネル１０１と、後述する表示部１０５に表示させる画面を作成する画面作成部１０６と、画面作成部１０６で作成した画面に対して表示方法を加工する画面加工部１０７と、表示部１０５に表示させる全ての文言を各国語で言語情報テーブル３００として記憶する言語情報部１０８と、原稿を読み取ることにより画像データを生成し、当該画像データを画像メモリ１１０に一時記憶させる読取部１０９と、画像データを一時記憶する画像メモリ１１０と、画像メモリ１１０に記憶された画像データを印刷媒体に印刷する印刷部１１１と、ファックスの通信プロトコルやＴＣＰ／ＩＰ等のネットワーク関連のプロトコルに則って電話回線や通信ネットワークを介して外部装置とデータの送受信を制御する送受信部１１２と、後述する制御部１１３の指示に基づき演算処理等を行うＣＰＵ（Central Processing Unit）１１６と、複合機１００の各種機能の動作を制御する際に必要となる各種情報を記憶するＲＡＭ（Random Access Memory）１１４と、複合機１００の制御プログラム等を予め格納するＲＯＭ（Read Only Memory）１１５と、複合機１００全体を統括的に制御する制御部１１３とを備え、これらは信号線である共通バス１１７によって接続されている。
【００１２】
オペレーションパネル１０１は、表示制御部１０４及び表示部１０５を有するタッチパネル１０２と、操作部１０３とを備える。
【００１３】
操作部１０３は、図２に示すように、複合機１００に対する動作のスタート指示を受け付けるスタートキー１０３−５と、動作のキャンセル指示を受け付けるキャンセルキー１０３−６と、コピー機能、スキャン機能、ファックス機能、及びプリント機能の各機能の実行指示を受け付けるＡＰ切替キー１０３−１，１０３−２，１０３−３，１０３−４と、複合機１００の装置設定を受け付けるメニュー画面に切り替えるための装置設定キー１０３−７とを備える。これらの各種キーの押下は、表示制御部１０４にその都度通知される。
【００１４】
表示制御部１０４は、表示部１０５が表示している表示内容に応じて、操作部１０３の各キーの押下時と表示部１０５に表示されている各キー押下時の振る舞いや画面遷移を管理して表示部１０５の表示を制御する機能を有する。また、表示制御部１０４は、ユーザによる言語切り替えを受け付ける言語切替画面を表示するタイミングとなったら（初回電源投入時や装置設定キー１０３−７の押下を受けて言語切り替えが指示されたとき）、複合機１００で表示するデフォルト言語を言語情報部１０８から取得し、その言語で表示部１０５に表示させる言語切替画面の作成を画面作成部１０６に指示する機能を有する。また、表示制御部１０４は、画面作成部１０６から言語切替画面の情報を取得すると、取得した画面情報において画面の各エリアの表示方法の加工を画面加工部１０７に指示する機能を有する。さらに、表示制御部１０４は、画面加工部１０７から取得した後述する図５、図６に示すような設計表に基づき、画面情報を図４に示すような画面レイアウト４００に当てはめて表示部１０５に表示させる機能を有する。
【００１５】
図４に示す言語切替画面の画面レイアウト４００は、表示部１０５を介して表示される言語切替画面の鋳型となるものであり、画面作成部１０６は、必要に応じて常駐エリア（１）〜（６）からなる常駐エリア４０１、タイトルエリア４０２、固定エリア（１）〜（５）からなる固定エリア４０３、操作エリア（１）〜（３）からなる操作エリア４０４のそれぞれに対応する画面情報を図５及び図６に示す設計表から取得し、これに当てはめ表示制御部１０４に出力する。また、画面レイアウト４００は、常駐エリア４０１、タイトルエリア４０２、固定エリア４０３、及び操作エリア４０４に加え、矢印エリア４０５を備え、言語切替画面が表示部１０５を介して表示された際に、固定エリア（１）〜（５）に収まりきらなかった他の固定エリアの画面情報を言語切替画面に表示された上下矢印を押下することによって表示可能となるように構成されている。
【００１６】
画面作成部１０６の指示に基づき画面加工部１０７が、図５に示す言語切替画面の設計表５００のアニメーション５０４及び文言５０７を加工した結果が図６に示す言語切替画面の設計表６００である。ここでの説明では、図５に示す設計表５００を中心に説明し、画面加工部１０７によるの設計表５００のアニメーション５０４及び文言５０７の加工については後述する。
【００１７】
図５に示す設計表５００は、エリア５０１，領域５０２，ページ５０３，アニメーション５０４，文言ＩＤ５０５，言語５０６，文言５０７を備える。エリア５０１は、図４で示した画面レイアウト４００の常駐エリア４０１、タイトルエリア４０２、固定エリア４０３、及び操作エリア４０４のそれぞれの表示エリアに対応しており、エリア５０１で特定される表示エリア（例えば、タイトルエリア）に表示される文言は、その行（領域５０２，ページ５０３，アニメーション５０４，文言ＩＤ５０５，言語５０６，文言５０７）で規定される属性を有する。領域５０２は、その表示エリア内で使用される言語のフォントサイズ及び使用文字数を規定する。ページ５０３は、言語切替画面を構成するページにおいてエリア５０１で特定される表示エリアが適用されるページを規定する。アニメーション５０４は、文言５０７で規定される文言の表示形態を規定し、例えば、テロップ表示、トグル表示がこれに相当する。文言ＩＤ５０５は、図３の言語情報テーブル３００における文言ＩＤ３０１に対応し、画面作成部１０６はこの文言ＩＤ５０５に対応する言語情報を図３の言語情報テーブル３００から取得する。言語５０６は、予め設定されたデフォルト言語に基づき文言５０７の表示言語を規定する。文言５０７は、エリア５０１で特定される表示エリア内に表示される文言を規定する。
【００１８】
再び、図１に戻り、表示部１０５は、表示制御部１０４による制御や、操作部１０３を介して受け付けた入力に基づき、各種機能の画面を表示する機能を有する。また、表示部１０５は、表示制御部１０４から入力された画面情報に基づいて画面を表示する機能を有する。表示部１０５は、図２で示した概観図においてタッチパネル１０２に相当する。
【００１９】
画面作成部１０６は、表示制御部１０４から言語切替画面の作成指示を受け付けると、図３に示す言語情報部１０８が備える言語情報テーブル３００から、表示制御部１０４から指示された言語の言語情報を取得して言語切替画面を作成する機能を有する。画面作成部１０６は、前述した表示部１０５が表示するための、図５に示すエリア５０１，領域５０２，ページ５０３，アニメーション５０４，文言ＩＤ５０５，言語５０６，文言５０７が割当てられた設計表５００を画面毎に有している。例えば、表示制御部１０４から指示された言語が「Ｊａｐａｎｅａｓｅ」ならば、画面作成部１０６は、図５の文言ＩＤ５０５に対応した言語を図３の言語情報テーブル３００の「Ｊａｐａｎｅａｓｅ」列から取得する。そして、画面作成部１０６は、取得した言語情報を図５の文言５０７に埋め、画面情報として表示制御部１０４に出力する機能を有する。また、画面作成部１０６は、表示制御部１０４から指示された画面の各エリアの表示方法の加工を画面加工部１０７に指示する機能を有する。
【００２０】
画面加工部１０７は、画面作成部１０６が指定した画面情報に基づいて、画面作成部１０６が指定した表示エリアに対して、テロップ表示か又はトグル表示かを確定させて、図６に示すアニメーション５０４'のようにアニメーション情報をテロップ表示又はトグル表示で更新する機能を有する。また、画面加工部１０７は、確定したアニメーションで表示させる文言を予め決定された条件で割り当てる機能を有する。例えば、画面加工部１０７は、言語切替画面の場合、ページ毎で固定エリア４０３に表示させる文言ＩＤ５０５に基づき言語情報を読み取り、指定された表示エリアに表示させる文言ＩＤ５０５に対応する読み取った全ての言語と現在の表示言語の文言とを言語情報部１０８から取得する。ここで、図６に示す例においては、１ページ目のタイトルエリアにおけるアニメーションはテロップ表示であり、１ページ目の固定エリア（１）における文言ＩＤ５０５はＳＥＬＥＣＴ＿ＬＡＮ＿ＥＮＧＬＩＳＨ＿ＩＤ、固定エリア（２）における文言ＩＤ５０５はＳＥＬＥＣＴ＿ＬＡＮ＿ＧＥＲＭＡＮ＿ＩＤ、固定エリア（３）における文言ＩＤ５０５はＳＥＬＥＣＴ＿ＬＡＮ＿ＦＲＥＮＣＨ＿ＩＤ、固定エリア（４）における文言ＩＤ５０５はＳＥＬＥＣＴ＿ＬＡＮ＿ＩＴＡＬＩＡＮ＿ＩＤ、及び固定エリア（５）における文言ＩＤ５０５はＳＥＬＥＣＴ＿ＬＡＮ＿ＳＰＡＮＩＳＨ＿ＩＤであるため、「Ｅｎｇｌｉｓｈ」、「Ｇｅｒｍａｎ」、「Ｆｒａｎｃｈ」、「Ｉｔａｌｉａｎ」、及び「Ｓｐａｎｉｓｈ」の５カ国の言語情報が読み取られる。そして、画面加工部１０７は、指定されたタイトルエリアにおける１ページ目の文言ＩＤ５０５は、ＴＩＴＬＥ＿ＴＥＸＴ＿００１＿ＩＤであるため、図３に示すＴＩＴＬＥ＿ＴＥＸＴ＿００１＿ＩＤで上記５カ国の文言と表示言語「Ｊａｐａｎｅａｓｅ」の文言を取得して、図６に示すタイトルエリアにおける文言５０７'のように、「Ｊａｐａｎｅａｓｅ」、「Ｅｎｇｌｉｓｈ」、「Ｇｅｒｍａｎ」、「Ｆｒａｎｃｈ」、「Ｉｔａｌｉａｎ」、及び「Ｓｐａｎｉｓｈ」の順で各国の文言を１行に連結して配置する。そして、画面加工部１０７は、図６に示すような加工済みの画面情報を設計表６００として画面作成部１０６に出力する。
【００２１】
言語情報部１０８は、表示部１０５に表示させる全ての文言を各国語で格納する。言語情報部１０８は、例えば、表示させる画面が表示切替画面の場合は、図３に示すような情報を言語情報テーブル３００として格納している。
【００２２】
次に、本実施形態での言語切り替えに係る動作について図７のシーケンス図と、図８乃至図１０のフローチャートを用いて説明する。ここでは、初回電源投入時に言語切替画面を表示する例について説明する。
【００２３】
図８のＦ１０１に対応する処理として、図７のステップＳ１０１では、初めて複合機１００に電源が投入されると、表示制御部１０４は、言語切替画面を表示部１０５に表示させるための制御を開始する（ステップＳ１０２）。
【００２４】
図８のＦ１０２に対応する処理として、図７のステップＳ１０３では、表示制御部１０４は、表示部１０５に表示させるデフォルト言語を言語情報部１０８に問い合わせる。問い合わせを受けた言語情報部１０８は、デフォルト言語として設定されている「Ｊａｐａｎｅａｓｅ」の情報を表示制御部１０４に出力する（ステップＳ１０４）。
【００２５】
図８のＦ１０３に対応する処理として、図７のステップＳ１０５では、表示制御部１０４は、表示部１０５に表示させる言語切替画面の作成を、デフォルト言語である「Ｊａｐａｎｅａｓｅ」の情報を添えて画面作成部１０６に指示する。
【００２６】
図９のＦ１０４に対応する処理として、図７のステップＳ１０６〜ステップＳ１０７では、画面作成部１０６は、図５の文言ＩＤ５０５に対応した言語情報を、図３の「Ｊａｐａｎｅａｓｅ」列から取得する。すなわち、画面作成部１０６は、文言「英語，ドイツ語，フランス語，イタリア語，スペイン語，〜，台湾語，日本語，表示言語を選択してください，戻る，次へ」を取得する。
【００２７】
図９のＦ１０５に対応する処理として、図７のステップＳ１０８では、画面作成部１０６は、取得した言語情報を図５の設計表５００の文言５０７に埋めて、５ページ分の画面情報として表示制御部１０４に出力する（ステップＳ１０９）。すなわち、画面作成部１０６は、文言５０７に、ＬＡＮ＿ＥＮＧＬＩＳＨ＿ＩＤのようなＩＤが記載されているものは、取得した言語の文言に置き換えるものとする。例えば、画面作成部１０６は、ＬＡＮ＿ＥＮＧＬＩＳＨ＿ＩＤを、図３の言語情報部１０８から取得されたＬＡＮ＿ＥＮＧＬＩＳＨ＿ＩＤの「Ｊａｐａｎｅａｓｅ」の言語である「英語」に置き換える。その結果、例えば、言語切替画面における固定エリア（１）では、第１の言語としての「Ｊａｐａｎｅａｓｅ」の言語で置き換えられた「英語」、第２の言語としての各国の言語表記「Ｅｎｇｌｉｓｈ」、第３の言語としての英語表記「Ｅｎｇｌｉｓｈ」が、英語  Ｅｎｇｌｉｓｈ  （Ｅｎｇｌｉｓｈ）の順で表示されることになる。この場合、各言語での表記を異なる色で表示することにより、より識別性を高めることも可能である。なお、本実施形態においては、言語切替画面の固定エリアに表示させる形態として、第1の言語、第２の言語、及び第３の言語を用いて表示させる形態について説明したが、これに限定されず、例えば、第３の言語たる英語での表記を除いた第１の言語及び第２の言語のみで表示することも可能であり、これらの言語の選択は適宜行うことができる。
【００２８】
図８のＦ１０６に対応する処理として、図７のステップＳ１１０では、表示制御部１０４は、タイトルエリア４０２と操作エリア４０４とを加工するよう画面作成部１０６に指示する。指示を受けた画面作成部１０６は、タイトルエリア４０２と操作エリア４０４とを加工するように画面加工部１０７に指示する。このとき、画面作成部１０６は、言語切替画面の設計表５００を画面加工部１０７に出力する（ステップＳ１１１）。
【００２９】
図１０のＦ１０７に対応する処理として、画面加工部１０７は、設計表５００のアニメーション５０４において、タイトルエリア４０２のアニメーションとして「テロップ表示」を指定し、操作エリア４０４のアニメーションとして「トグル表示」を指定する。
【００３０】
図１０のＦ１０８に対応する処理として、画面加工部１０７は、設計表５００の文言ＩＤ５０５から、タイトルエリア４０２と操作エリア４０４とに表示させる言語を特定する。例えば、言語切替画面の１ページ目では、固定エリア（１）〜（５）における文言ＩＤ５０５から「Ｅｎｇｌｉｓｈ」，「Ｇｅｒｍａｎ」，「Ｆｒｅｎｃｈ」，「Ｉｔａｌｉａｎ」，「Ｓｐａｎｉｓｈ」が読み取れるので、画面加工部１０７は、タイトルエリア４０２と操作エリア４０４とに表示させる言語としてデフォルト言語を加え、「Ｊａｐａｎｅａｓｅ」，「Ｅｎｇｌｉｓｈ」，「Ｇｅｒｍａｎ」，「Ｆｒｅｎｃｈ」，「Ｉｔａｌｉａｎ」，「Ｓｐａｎｉｓｈ」の６言語を特定する。また、画面加工部１０７は、２ページから５ページに関しても同様にタイトルエリア４０２と操作エリア４０４とに表示させる言語を特定する。
【００３１】
図１０のＦ１０９に対応する処理として、図７のステップＳ１１２では、画面加工部１０７は、設計表５００の文言ＩＤ５０５に記載されている各ＩＤに対応する６言語の文言を言語情報部１０８に格納された言語情報テーブル（図３）から取得する。すなわち、画面加工部１０７は、図６の文言５０７'に記載されているような文言を言語情報として取得する（ステップＳ１１３）。
【００３２】
図１０のＦ１１０に対応する処理として、図７のステップＳ１１４では、画面加工部１０７は、言語情報部１０８から取得した言語情報を設計表５００の文言列に埋め込んだ後、同様に加工した５ページ分の画面情報を設計表６００として画面作成部１０６に出力する（ステップＳ１１５）。そして、画面作成部１０６は、画面加工部１０７から取得した画面情報をそのまま表示制御部１０４に出力する（ステップＳ１１６）。
【００３３】
図８のＦ１１１に対応する処理として、図７のステップＳ１１７では、表示制御部１０４は、画面作成部１０６から入力された画面情報を表示部１０５に出力する。画面情報が入力された表示部１０５は、当該画面情報に基づく言語切替画面を表示する。図１１は、１ページ目の言語切替画面７００の例を示した概観図である。図１１に示す言語切替画面７００のタイトルエリア７０２には、図６の設計表６００のタイトルエリア・１ページに配置されている文言「表示言語を選択してください  Ｐｌｅａｓｅ  ｓｅｌｅｃｔ  ａ  ｄｉｓｐｌａｙ  ｌａｎｇｕａｇｅ  Ｂｉｔｔｅ  ｗaｈｌｅｎ  Ｓｉｅ  ｅｉｎｅ  Ａｎｚｅｉｇｅｓｐｒａｃｈｅ  Ｓ′ｉｌ  ｖｏｕｓ  ｐｌａiｔ  ｓeｌｅｃｔｉｏｎｎｅｒ  ｕｎｅ  ｌａｎｇｕｅ  ｄ′ａｆｆｉｃｈａｇｅ  Ｓｉ  ｐｒｅｇａ  ｄｉ  ｓｅｌｅｚｉｏｎａｒｅ  ｕｎａ  ｌｉｎｇｕａ  ｄｉ  ｖｉｓｕａｌｉｚｚａｚｉｏｎｅ  Ｐｏｒ  ｆａｖｏｒ，ｓｅｌｅｃｃｉｏｎｅ  ｕｎ  ｉｄｉｏｍａ  ｄｅ  ｌａ  ｐａｎｔａｌｌａ」が文字列の先頭からタイトルエリアの右から左に流れるように表示される。文字列の後端がタイトルエリアから消えると、再び、同文言が文字列の先頭からタイトルエリアの右から左に流れるように表示が繰り返される。また、言語切替画面の操作エリア７０４には、図６の設計表６００の操作エリア（３）・１ページに配置されている文言「次へ  Ｎｅｘｔ  ｎaｃｈｓｔｅ  ｓｕｉｖａｎｔ  ｐｒｏｓｓｉｍｏ  Ｓｉｇｕｉｅｎｔｅ」が「次へ」，「Ｎｅｘｔ」，「ｎaｃｈｓｔｅ」，「ｓｕｉｖａｎｔ」，「ｐｒｏｓｓｉｍｏ」，「Ｓｉｇｕｉｅｎｔｅ」の順で切り替えられて表示される。なお、画面加工部１０７によるタイトルエリアと操作エリアとの加工を行わない場合は、表示部１０５は図１２に示すような言語切替画面８００を表示する。
【００３４】
なお、言語切替画面７００のタイトルエリア７０２においてテロップ表示される文言は、その情報量、言語の組み合わせ等により表示スピードを変更することも可能である。例えば、テロップ表示される文言の情報量が多い場合は表示スピードを速くしたり、逆に文言の情報量が少ない場合は表示スピードを遅くすることでユーザに対する利便性を向上させることができる。
【００３５】
ところで、言語切替画面７００は、前述したように、装置設定キー１０３−７の押下を受け、言語切り替えが指示された際に表示させることが可能である。また、図１３に示す例のように、表示部１０５を介して表示されている待機画面９００上にアイコン９０１を常時表示させ、当該アイコン９０１を選択することにより言語切替画面７００を呼び出す形態としてもよい。
【００３６】
また、図１４に示す例のように、例えば、トナー切れ、紙詰まり、ネットワーク障害といったエラーが発生した際に表示部１０５を介して表示されるエラー画面９００'上にアイコン９０１を表示させ、当該アイコン９０１を選択することにより言語切替画面７００を呼び出す形態とすることも可能である。
【００３７】
さらに、例えば、図１５に示す例のように、言語切替画面７００における言語切り替えの受け付けを次の設定画面（例えば、時刻設定画面７１０）まで有効とし、当該時刻設定７１０において、操作エリア（３）に相当する「次へ」ボタン７０４１の押下を受けて最終的に言語切り替えを確定するとともに次の設定画面（例えば、ＬＡＮ設定画面７２０）に移行する構成としてもよい。この場合、時刻設定画面７１０において操作エリア（１）に相当する「戻る」ボタン７０４２を設け、当該「戻る」ボタン７０４２の押下を受けて言語切替画面７００に戻るようにすればよい。
【００３８】
以上のように、本実施形態によれば、どの国籍のユーザであっても読み取ることが可能な言語を言語切替画面の選択肢に表示することが可能であるため、所望の言語を選択後の確認画面を表示させる余計な操作ステップを踏むことなく、さらに検索のストレスも小さくなるので、検索性が向上し、所望の言語への切り替えを確実に行うことができる。
【００３９】
本発明の説明においては画像形成装置の例について説明したが、本発明は、表示部が備える画面上に言語を表示する機能を有する機器であれば、例えば、情報処理装置といった他の機器全般に適用可能である。
【符号の説明】
【００４０】
１００  複合機
１０１  オペレーションパネル
１０２  タッチパネル
１０３  操作部
１０４  表示制御部
１０５  表示部
１０６  画面作成部
１０７  画面加工部
１０８  言語情報部
１０９  読取部
１１０  画像メモリ
１１１  印刷部
１１２  送受信部
１１３  制御部
１１４  ＲＡＭ
１１５  ＲＯＭ
１１６  ＣＰＵ
【図１】
2016134114.tif 000003
【図２】
2016134114.tif 000004
【図３】
2016134114.tif 000005
【図４】
2016134114.tif 000006
【図５】
2016134114.tif 000007
【図６】
2016134114.tif 000008
【図７】
2016134114.tif 000009
【図８】
2016134114.tif 000010
【図９】
2016134114.tif 000011
【図１０】
2016134114.tif 000012
【図１１】
2016134114.tif 000013
【図１２】
2016134114.tif 000014
【図１３】
2016134114.tif 000015
【図１４】
2016134114.tif 000016
【図１５】
2016134114.tif 000017